(57)【特許請求の範囲】
【請求項１】
光学的に読み取り可能な情報記号に光を照射する照明手段と、照射した光が前記情報記号に反射して生じた反射光を所定の位置に結像させる結像手段と、結像した反射光を受光してこの受光した反射光を電気信号に変換する受光手段と、変換された電気信号を前記情報記号に対応した信号に解読するとともに各種演算制御処理を行う制御手段とを内蔵したハウジングの外周面に、
前記解読された信号を送信処理して所要の間隔離れて位置する情報処理装置に向けて送信する送信手段の送信部と、前記送信処理した信号の受信に基づいて前記情報処理装置より送信された情報確認信号を受信して受信処理をする受信手段の受信部とを回動自在に配設し、
前記ハウジングの上面に設けた貫通孔に嵌挿する容器を設け、該容器の下部に前記貫通孔の内周面と同径の外径を有する円筒部を前記ハウジング上面より下方に延出して形成するとともに、
前記円筒部の下部の外周面に前記円筒部より外径が大きな大径部と、該大径部の一部より突出する突起部とを形成し、
前記容器の上部の一側面に形成した透光性を有する窓に向けて前記送信部と受信部を配設したことを特徴とする光学情報読み取り装置。
【請求項２】
光学的に読み取り可能な情報記号に光を照射する照明手段と、照射した光が前記情報記号に反射して生じた反射光を所定の位置に結像させる結像手段と、結像した反射光を受光してこの受光した反射光を電気信号に変換する受光手段と、変換された電気信号を前記情報記号に対応した信号に解読するとともに各種演算制御処理を行う制御手段と、前記解読された信号を送信処理して所要の間隔離れて位置する情報処理装置に向けて送信する送信手段の送信部と、前記送信処理した信号の受信に基づいて前記情報処理装置より送信された情報確認信号を受信して受信処理をする受信手段の受信部とを内蔵したハウジングと、
前記送信手段の送信部および前記受信手段の受信部の位置に対応する前記ハウジングの上面に貫通孔を設けるとともに、当該貫通孔に回動自在に嵌挿する容器を設け、
前記容器の内部に前記送信部が送信する光および前記受信部が受信する光の方向を変更する光路変更手段を設けたことを特徴とする光学情報読み取り装置。
【発明の詳細な説明】
【０００１】
【発明の属する技術分野】
本発明は、光学情報読み取り装置に係わり、特に、バーコードリーダ等の情報記号を読み取る光学情報読み取り装置に関するものである。
【０００２】
【従来の技術】
近年、スーパーマーケット、小売店で販売されるほとんどの商品には、白と黒の縞模様のバーコードが印刷されたりあるいはバーコードラベルが貼着されている。これらのバーコード等の情報記号の上にバーコードリーダ等の光学情報読み取り装置が光を照射すると、バーコードの白、黒に応じて反射する光に強弱が生じる。この強弱のパルス信号のデータをバーコードリーダ等の光学情報読み取り装置が読み取り、この読み取ったデータを所定の位置に設置した情報処理装置に送信して、販売、在庫等の管理、および、発注、仕入等の業務を合理化して効率の良い販売を展開する販売時点情報管理システム、いわゆるＰＯＳシステム（Ｐｏｉｎｔ  Ｏｆ  Ｓａｌｅｓ  Ｓｙｓｔｅｍ）が普及するようになった。
【０００３】
【発明が解決しようとする課題】
しかしながら、この種ＰＯＳシステムのバーコードリーダとして携帯型（ハンディタイプ）のバーコードリーダを用いる場合、バーコードリーダと情報処理装置とを電気的に接続する必要がある。バーコードリーダと情報処理装置とを電気的に接続するために、例えば、ケーブルを用いると、ケーブルの重み、ケーブルの這い回し等により、バーコードリーダの携帯性が悪くなり、使用者のバーコードデータの読み取り作業効率が低下する。
【０００４】
そこで、実開平３−９３９６４号公報に示されるように、リモコン転送型バーコードリーダが提案された。このバーコードリーダは、バーコード読み取り部とリモコン転送部とをバーコードリーダハウジングの同じ側に固定して設けているため、読み取ったデータの転送方向がバーコード読み取り部の方向と同一方向となり、バーコード読み取り部を転送方向に向けて使用しなければ通信不能の事態になるという問題を生じる。
本発明は上記問題点に鑑みてなされたもので、離隔して位置する情報処理装置との通信を能率良く的確に行い得る光学情報読み取り装置を提供することを目的とするものである。
【０００５】
【課題を解決するための手段】
本発明は上記課題を解決するために、請求項１に記載の発明によれば、
光学的に読み取り可能な情報記号に光を照射する照明手段と、照射した光が当該情報記号に反射して生じた反射光を所定の位置に結像させる結像手段と、結像した反射光を受光してこの受光した反射光を電気信号に変換する受光手段と、変換された電気信号を上記情報記号に対応した信号に解読するとともに各種演算制御処理を行う制御手段とを内蔵したハウジングの外周面に、
解読された信号を送信処理して所要の間隔離れて位置する情報処理装置に向けて送信する送信手段の送信部と、送信処理した信号の受信に基づいて情報処理装置より送信された情報確認信号を受信して受信処理をする受信手段の受信部とを回動自在に配設し、
ハウジングの上面に設けた貫通孔に嵌挿する容器を設け、当該容器の下部に貫通孔の内周面と同径の外径を有する円筒部をハウジング上面より下方に延出して形成するとともに、
円筒部の下部の外周面に当該円筒部より外径が大きな大径部と、当該大径部の一部より突出する突起部とを形成し、
容器の上部の一側面に形成した透光性を有する窓に向けて送信部と受信部を配設する。
これにより、光学情報読み取り装置を使用している操作者は情報記号の読み取りの姿勢を変えることなく、送信部を予め情報処理装置の方向に指向させておくだけで情報処理装置へデータ転送ができるようになり、情報記号の読み取り作業性が格段に向上する。
また、送信部とともに受信部も備えているので、情報処理装置より送信される情報確認信号を受信できるようになり、この情報確認信号を受信することにより、光学情報読み取り装置から送信した情報内容が情報処理装置に正確に送信されたことを容易に確認できるようになる。
【０００６】
【発明の実施の形態】
本発明の実施の形態を図に基づいて説明する。図１は、本発明の一実施の形態に係る光学情報読み取り装置であるバーコード読み取り装置１と情報処理装置であるレジスタ９０との配置構成を示す斜視図である。図１において、バーコード読み取り装置１は、バーコードラベルＢｃのバーコードデータを読み取ると、この読み取ったデータを送信用のデータに変換して、通信部６０の送信部よりレジスタ９０（情報処理装置）の通信部９１の受信部に向けて送信する。レジスタ９０は送信データを受信すると、この送信データに対応するデータ（情報確認信号）を通信部９１の送信部よりバーコード読み取り装置１の通信部６０の受信部に向けて送信する。
【０００７】
図２は、バーコード読み取り装置１の全体構成を示す図であり、図３は、図２のバーコード読み取り装置の回路構成を示すブロック回路図である。
図２、図３において、バーコード読み取り装置１は、合成樹脂性のハウジング１０を有しており、このハウジング１０の読み取り先端側１０ａは凸形状に形成されている。ハウジング１０の凸形状の読み取り先端側１０ａには、この読み取り先端側１０ａより塵、埃等がハウジング１０の内部に侵入するのを防止するために、透明な防塵プレート１１がバーコードラベルＢｃを臨むように長方形状に形成されている。
【０００８】
ハウジング１０内には、バーコードラベルＢｃに対して赤色光を照射する赤色発光ダイオード（例えば、λ＝６６０ｎｍ付近の波長を有する）よりなる照明２０と、この照明２０からの照射光を透明な防塵プレート１１を通してバーコードラベルＢｃ上に集光させる集光レンズ２１と、バーコードラベルＢｃで反射して防塵プレート１１を通してハウジング１０内に入射した光の方向を変更する平面反射鏡１２と、平面反射鏡１２により反射して入射光の方向が変更された光を光学的センサ３０に結像させる結像用レンズ１３と、結像用レンズ１３により結像された光信号を電気信号に変換する光学的センサ３０とが配設されている。
【０００９】
なお、光学的センサ３０は、赤色発光ダイオードよりなる照明２０の発光スペクトル付近に分光感度のピーク領域を持つ、例えば、２０４８個のＣＣＤセンサよりなるライン型イメージセンサを使用する。  この光学的センサ３０は基板５９ａに組み付けてあり、基板５９ａに組み付けたセンサ駆動回路５４によりマイクロコンピュータ５１の指令に基づき駆動される。また、照明２０は、基板５９ｂに組み付けてあり、基板５９ｂに組み付けた発光素子駆動回路５５によりマイクロコンピュータ５１の指令に基づき駆動される。
【００１０】
ハウジング１０上面には、トリガスイッチ４０と後述する通信部６０とを配設してあり、トリガスイッチ４０を押すことにより、バーコードラベルＢｃのバーコードの読み取りを開始する。また、ハウジング１０内には、直流電源７０および光学的センサ３０からの電気信号に基づいて、バーコードラベルＢｃの情報内容を読み取る制御装置５０（図３参照）のマイクロコンピュータ（マイコン）５１、メモリ５２、波形整形部５３、送信駆動回路５６および受信駆動回路５７を配置した基板５８が配設されている。さらに、ハウジング１０内には、バーコードの読み取り完了を報知する、例えば、２色発光のＬＥＤ（図示せず）および２音色を発するブザー８０等を配設している。
【００１１】
上述の制御装置５０は、図３の点線で示すように、波形整形部５３から出力されたディジタル信号に基づいて各種の演算・制御処理を行うとともにこの演算結果をメモリ５２に送出するマイクロコンピュータ５１と、マイクロコンピュータ５１により演算された演算結果を記憶するメモリ５２と、光学的センサ３０からの出力信号に生じたノイズを除去して波形整形するとともに波形整形された信号を増幅し、この増幅されたアナログの出力信号を逐次ディジタル信号に変換する波形整形部５３と、マイクロコンピュータ５１からの指令に基づき光学的センサ３０の各ＣＣＤセンサを駆動するセンサ駆動回路５４と、マイクロコンピュータ５１からの指令に基づき赤色発光ダイオードよりなる照明２０を駆動する照明駆動回路５５と、光通信部６０の送信用赤外発光素子６１を駆動する送信駆動回路５６と、光通信部６０の受信用赤外受光素子６２を駆動する受信駆動回路５７とにより構成されている。
【００１２】
図４は、上述の通信部６０の一実施例をハウジング１０の上面に配設した例を示す図であり、図４（ａ）は正面図を示し、図４（ｂ）は下面図を示し、図４（ｃ）は図４（ｂ）のＡ−Ａ縦断面図を示し、図４（ｄ）は横断面図を示す。図４（ａ）（ｂ）（ｃ）（ｄ）において、通信部６０は、ハウジング１０の上面に配設した貫通孔１５に、一端面に透光性を有する窓６４を設けた容器６３の下部を嵌挿して取り付けられている。容器６３の下部には、貫通孔１５の内周面に嵌合する外径を有する円筒部６７と、この円筒部６７の下部の外周面に設けられた大径部６８と、大径部６８の一部より突出させた突起部６５とが設けられている。
【００１３】
容器６３内には、赤外発光素子６１と赤外受光素子６２とを配設してあり、赤外発光素子６１はその発光面を透光性を有する窓６４に向けて配設されており、また、赤外受光素子６２はその受光面を透光性を有する窓６４に向けて配設されていて、これらの赤外発光素子６１および赤外受光素子６２は、制御装置５０の送信駆動回路５６および受信駆動回路５７によりそれぞれマイクロコンピュータ５１の指令に基づいて駆動されるものである。また、貫通孔１５の外周面の一部には半円弧状の凸壁１６を設けてあり、この凸壁１６は、突起部６５が左右方向に回動した場合にストッパの役割を果たすものであり、この凸壁１６を設けることにより、容器６３を左右方向に回動させても、容器６３内に配設した赤外発光素子６１および赤外受光素子６２と基板５８とを接続する接続線６９の捻れが防止できる。
【００１４】
図５は、マイクロコンピュータ５１の処理動作を示すプログラムのフローチャートであり、このプログラムは予めマイクロコンピュータ５１のＲＯＭに内蔵している。ついで、本実施例のバーコード読み取り装置の動作を図１乃至図３および図５に基づいて説明する。
【００１５】
バーコード読み取り装置１のトリガスイッチ４０がオンされてマイクロコンピュータ５１が駆動状態になると、ステップ１００にてマイクロコンピュータ５１は処理プログラムを開始する。ついで、ステップ１０１にて、マイクロコンピュータ５１は照明駆動指令を照明駆動回路５５に送出して、照明２０を所定の時間発光させ、赤色の光をバーコードラベルＢｃ上に照射する。これと同時に、マイクロコンピュータ５１はセンサ駆動指令をセンサ駆動回路５４に送出し、光学的センサ３０の各受光素子（ＣＣＤセンサ素子）を駆動状態にする。ついで、ステップ１０２に進み、バーコード読み取りを開始する。
【００１６】
照明２０よりバーコードラベルＢｃのバーコードに向けて赤色の光を照射すると、バーコードラベルＢｃからの反射光は拡散しながら結像用レンズ１３に到達する。この結像用レンズ１３に到達した反射光は、結像用レンズ１３を通過して光学的センサ３０の受光面に結像する。光学的センサ３０の受光面に反射光が結像すると、光学的センサ３０の各受光素子が受光した光強度に応じた電気信号列として光学的センサ３０より出力する。即ち、周知のように、バーコードラベルＢｃ上のバーコードは、バー部とスペース部とから形成されており、バー部とスペース部とでは照射された光の反射率が異なるため、バー部においては受光強度が低くなり、スペース部においては受光強度が高くなる。したがって、光学的センサ３０の各受光素子が受光した光強度に対応した電気信号列として光学的センサ３０より出力することとなる。
【００１７】
光学的センサ３０より出力された電気信号は、制御装置５０の波形整形部５３に入力される。この波形整形部５３において、光学的センサ３０より出力されたバーコードの情報を含む電気信号に生じたノイズを除去して波形整形した後、波形整形された信号が増幅される。この増幅されたバーコードの情報を含むアナログ信号はディジタル信号に変換される。このようにして、波形整形部５３においてアナログ信号をディジタル信号に変換した後、このディジタル信号をマイクロコンピュータ５１に入力する。ついで、ステップ１０３に進み、マイクロコンピュータ５１は入力されたディジタル信号を演算処理して、バーコードデータとしてデコード（解読）する。
【００１８】
ついで、ステップ１０４に進み、バーコードデータのデコードが成功したか否かの判定を行う。このステップ１０４において「ＹＥＳ」と判定された場合は、デコードされたバーコードデータをメモリ５２に出力して、バーコードデータを記憶するとともに、マイクロコンピュータ５１はバーコードデータのデコード成功指令を送出して、照明駆動回路５５およびセンサ駆動回路５４の駆動を停止し、次のステップ１０５に進む。ステップ１０４において「ＮＯ」と判定された場合は、ステップ１１０に進み、読み取りは失敗として、再度、このバーコード読み取り装置１の操作者は読み取り操作を繰り返す。
【００１９】
ステップ１０５に進むと、マイクロコンピュータ５１は、メモリ５２に記憶したバーコードデータを送信用のコードデータに変換するとともに、送信駆動回路５６に駆動指令を送出して、光通信部６０の赤外発光素子６１を発光させ、レジスタ９０の通信部９１の受信部に向けて送信用のコードデータ信号を送信する。ついで、ステップ１０６に進み、マイクロコンピュータ５１は内蔵するタイマを起動する。
ついで、ステップ１０７に進み、マイクロコンピュータ５１は受信駆動回路５７に駆動指令を送出して、光通信部６０の赤外受光素子６２を駆動させ、レジスタ９０の通信部９１の送信部より送信するステップ１０５にて送信した送信用データ信号に対応する信号（情報確認信号）を受信し、この受信した光データ信号を赤外受光素子６２により光電変換してマイクロコンピュータ５１に入力する。
【００２０】
ついで、ステップ１０８に進み、ステップ１０７にて受信したデータ信号は、ステップ１０５にて送信した送信用データ信号に対応する信号であるか否かの判定を行う。ステップ１０７にて受信したデータ信号が、ステップ１０５にて送信したバーコードデータ信号に対応する信号である場合は、ステップ１０８において「ＹＥＳ」と判定され、次のステップ１１２に進み、レジスタ９０の通信部９１との双方向通信が完了したものとして、２色発光のＬＥＤ（図示せず）の第１色を発光させ、また、２音色を発するブザー８０の第１音色を発音させて、このバーコード読み取り装置１の操作者に双方向通信の完了を報知し、バーコードデータの読み取り処理を終了する。
【００２１】
ステップ１０７にて受信したデータ信号が、ステップ１０５にて送信した送信用データ信号に対応する信号ではなくて、ステップ１０８にて「ＮＯ」と判定された場合は、ステップ１０９に進み、ステップ１０６にて起動したタイマが予め設定した所定の時間経過したか否かの判定を行う。このステップ１０９にて「ＮＯ」と判定された場合は、所定の時間経過していないのでステップ１０７に戻り、上述の処理を繰り返す。  ステップ１０６にて起動したタイマが予め設定した所定の時間経過している場合は、ステップ１０９にて「ＹＥＳ」と判定され、ステップ１１１に進み、レジスタ９０の通信部９１との双方向通信が失敗であるとして、２色発光のＬＥＤ（図示せず）の第２色を発光させ、また、２音色を発するブザー８０の第２音色を発音させて、このバーコード読み取り装置１の操作者に報知する。
【００２２】
ここで、バーコード読み取り装置１の操作者が双方向通信の失敗を図示しない２色発光のＬＥＤ（図示せず）の第２色の発光および２音色を発するブザー８０の第２音色の発音により確認すると、このバーコード読み取り装置１の操作者は、図６（ａ）、（ｂ）に示すように、通信部６０を手により回転させて、通信部６０の透光性を有する窓６４の方向をレジスタ９０の通信部９１に向かい合わせ、再度、読み取り処理を繰り返す。
【００２３】
上述したように本実施の形態においては、読み取ったバーコードＢｃの情報内容を情報処理する情報処理装置９０と通信を行う通信部６０を設けるとともに、この通信部６０の通信方向を調節可能に形成しているので、バーコード読み取り装置１を使用している操作者は現在の読み取りの姿勢を変えることなく、通信部６０を情報処理装置９０の方向に回動させるだけの動作のみで情報処理装置９０へデータ転送ができるようになり、情報処理装置９０との位置関係に基づく通信不能を軽減できるようになるとともに光学情報の読み取り作業性が格段に向上する。
また、バーコード読み取り装置１は情報処理装置９０と双方向通信が行えるので、情報処理装置９０より送信される情報確認信号を受信することにより、ＬＥＤを発光させたりあるいはブザー８０を発音させて容易に報知することが可能となって、バーコード読み取り装置１から送信した情報内容を情報処理装置９０が正確に受信したことをバーコード読み取り装置１の操作者は容易に確認できるようになる。
【００２４】
変形例
上述の実施の形態においては、送信用赤外発光素子６１および受信用赤外受信素子６２を通信部６０の容器６３内に配設した例について説明したが、送信用赤外発光素子６１および受信用赤外受信素子６２を基板５８上のハウジング１０の貫通孔１５の下部に配設するようにしてもよい。この場合、容器内まで接続線を延出して設ける必要がなくなり、容器をどのように回動させても接続線が切断されることがなくなる。
【００２５】
ついで、本変形例を図に基づいて説明する。図７は本変形例を説明する図であり、図７（ａ）は正面図であり、図７（ｂ）は上面図であり、図７（ｃ）は図７（ｂ）のＢ−Ｂ縦断面図である。本変形例の通信部６０は、ハウジング１０の貫通孔１５の下部の基板５８上に送信用赤外発光素子６１および受信用赤外受信素子６２を配置して実装している。これらの赤外発光素子６１および赤外受光素子６２は、制御装置５０の送信駆動回路５６および受信駆動回路５７によりそれぞれマイクロコンピュータ５１の指令に基づいて駆動されるものである。
【００２６】
ハウジング１０の上面に設けた貫通孔１５には、ハウジング１０内に突出する突出部１２１を設けた容器１２０を嵌挿して取り付けている。容器１２０は赤外光を透過する合成樹脂から形成されており、突出部１２１は容器１２０よりハウジング１０内に突出するように複数箇所（本変形例においては３箇所に設けているが、必要に応じて適宜箇所に設ければよい）に設けている。この突出部１２１の外周面には、貫通孔１５内に挿入しやすくかつ貫通孔１５の縁に係止されるように貫通孔１５の内方に傾斜するテーパー面１２２が形成されている。また、容器１２０の下部外周囲には、貫通孔１５の径より径大の突出部１２７を複数箇所（本変形例においては３箇所に設けているが、必要に応じて適宜箇所に設ければよい）に設けている。
【００２７】
したがって、貫通孔１５内に容器１２０を挿入すると、テーパー面１２２が貫通孔１５の縁により貫通孔１５の内方に押しつけられるようにして、貫通孔１５の縁に沿ってハウジング１０内に挿入され、テーパー面１２２の端部１２３が貫通孔１５の縁の位置に挿入された時点で、合成樹脂材の弾性により貫通孔１５の外方に押し戻されてテーパー面１２２の端部１２３が貫通孔１５の縁に係止され、さらに、貫通孔１５の径より径大の突出部１２７により容器１２０がハウジング１０内に落ち込むことなく係止され、この状態において容器１２０は貫通孔１５に対して自由に回動できることとなる。
【００２８】
また、容器１２０の内部には、その一端面に所定の角度（例えば、好適には４５度）だけ傾けた傾斜面を有するリブ１２４と、このリブ１２４の傾斜面に固着したミラー１２５とを配設している。そして、容器１２０を回動させることにより、ミラー１２５も同様に回動する。なお、容器１２０の上面にはミラー１２５の反射方向に一致する通信方向を示すマーク１２６を設けている。
【００２９】
このよう構成した本変形例において、通信部６０がレジスタ９０の通信部９１と双方向光通信を行う場合、まず、マーク１２６がレジスタ９０の通信部９１の方向に向くように容器１２０を回動する。そして、送信駆動回路５６の駆動により送信用赤外発光素子６１が発光すると、この光はハウジング１０の貫通孔１５を通過した後、ミラー１２５にて反射する。ミラー１２５で反射された光は容器１２０を透過してレジスタ９０の通信部９１に達することとなる。一方、レジスタ９０の通信部９１より送信された光は容器１２０を透過してミラー１２５にて反射する。ミラー１２５で反射された光はハウジング１０の貫通孔１５を通過して、受信駆動回路５７により駆動される受信用赤外受信素子６２により受光されることとなる。
【００３０】
このよう構成した本変形例においては、送信用赤外発光素子６１および受信用赤外受信素子６２を容器１２０内に配設していないので、送信用赤外発光素子６１および受信用赤外受信素子６２を  容器内まで接続線を延出して設ける必要がなくなり、容器をどのように回動させても接続線が切断されることがなくなる。
【００３１】
なお、上述の実施の形態およびその変形例においては、バーコード読み取り装置１の通信部６０に送信用の赤外発光素子６１と受信用の赤外受信素子６２を配設するとともに、制御装置５０に送信駆動回路５６と受信駆動回路５７の両駆動回路を設ける例について説明したが、情報処理装置であるレジスタ９０がバーコード読み取り装置１の通信部６０より送信されたデータの受信を報知する手段を設けていれば、バーコード読み取り装置１の通信部６０に受信用の赤外受光素子６２と制御装置５０に受信駆動回路５７とを設ける必要がないことは明らかである。
【００３２】
また、上述の実施の実施の形態においては、バーコードラベルＢｃと光学的センサ３０との間に結像用レンズ１３を設けた例について説明したが、光学的センサ３０に結像用の部材があれば結像用レンズ１３を設ける必要はない。
また、上述の実施の形態においては、光学的センサ３０としてＣＣＤセンサを用いる例について説明したが、ＣＣＤセンサの他に、フォトダイオード等の光の強度を検出できるセンサ素子であればどのようなものを用いても良い。
【００３３】
また、上述の実施の形態においては、バーコードラベルＢｃ上に光を照射する照明２０として発光ダイオードを用いた例について説明したが、レーザーダイオード、ランプ等の光を放つものであればどのような照明を用いても良い。
さらに、上述の実施の形態においては、情報記号読み取り装置としてバーコード読み取り装置の例について説明したが、本発明は、バーコード読み取り装置以外のどのような情報記号読み取り装置にも適用できる。
【図面の簡単な説明】
【図１】本発明の一実施の形態のバーコード読み取り装置とレジスタとの配置構成を示す斜示図である。
【図２】本発明の一実施の形態のバーコード読み取り装置の全体構成を示す図である。
【図３】図２のバーコード読み取り装置の回路構成を示すブロック回路図である。
【図４】通信部の取付構造の一例を示す図である。
【図５】本発明のバーコード読み取り装置の処理動作を示すフローチャートである。
【図６】本発明のバーコード読み取り装置の使用例を示す図である。
【図７】通信部の取付構造の変形例を示す図である。
【符号の説明】
１…バーコード読み取り装置、１０…ハウジング、２０…発光ダイオード、３０…光学的センサ、５０…制御装置、５１…マイクロコンピュータ、６０…バーコード読み取り装置の通信部、Ｂｃ…バーコード、９０…レジスタ（情報処理装置）、９１…レジスタ（情報処理装置）の通信部
【図１】
0003603441.tif 000002
【図２】
0003603441.tif 000003
【図３】
0003603441.tif 000004
【図４】
0003603441.tif 000005
【図５】
0003603441.tif 000006
【図６】
0003603441.tif 000007
【図７】
0003603441.tif 000008